(57)【要約】 【課題】本発明は、モータファンの羽根車での、動態バランス修正手段の簡易化、自動化の容易化、錘の保持信頼性向上や動態バランスの修正精度向上等を課題とする。【解決手段】本発明に成るモータファンは、羽根車の動態バランス修正手段が、羽根を保持する環状部側端面に、軸方向に開の溝が形成され、該溝が、動態バランス修正用錘の嵌着保持部となるように構成され、動態バランス修正用の錘が、常態で直線状もしくは円弧状に形成され、錘の嵌着溝の円弧面への圧接により撓んで保持されるよう、ばね性を有する所定の長さの平角棒状金属部材より成り、好ましくは、少なくもその一端が鋸歯状を成し該鋸歯状先端が曲げ形成され、溝の円弧面に圧接されることで固定・保持力を高めるように構成され、又は、可撓性を付与するため全長に亘って波状に形成されている。【選択図】        図1
2008223645.tif 000002
【特許請求の範囲】
【請求項１】
ケーシングと、等配される複数の羽根を有し前記ケーシングの内部で回転自在に軸支される羽根車と、該羽根車を駆動する電動機とを備えるモータファンの、前記羽根車において、羽根を保持する環状部の端面に、軸方向に開の溝が形成され、該溝が、動態バランス修正用錘の嵌着保持部となるように構成されていること、を特徴とするモータファンの羽根車。
【請求項２】
前記モータファンが多翼羽根車を備える遠心ファンであって、動態バランス修正用錘の嵌着溝が、インペラを連結・保持する環状部の端面に形成されていること、を特徴とする請求項１に記載のモータファンの羽根車。
【請求項３】
前記モータファンがプロペラを備える軸流ファンであって、動態バランス修正用錘の嵌着溝が、プロペラを連結・保持する回転子ハブ環状部の端面に形成されていること、を特徴とする請求項１に記載のモータファンの羽根車。
【請求項４】
前記動態バランス修正用の錘が、所定の長さの平角棒状部材より成ること、を特徴とする請求項１乃至３それぞれに記載のモータファンの羽根車。
【請求項５】
前記動態バランス修正用の錘が、錘の嵌着溝の円弧面への圧接により撓んで保持されるよう、ばね性を有する金属部材で形成されていること、を特徴とする請求項４に記載のモータファンの羽根車。
【請求項６】
前記動態バランス修正用の錘が、常態では直線状であること、を特徴とする請求項５に記載のモータファンの羽根車。
【請求項７】
前記動態バランス修正用の錘が、予め円弧状に形成されていること、を特徴とする請求項５に記載のモータファンの羽根車。
【請求項８】
前記動態バランス修正用の錘は、少なくもその一端が鋸歯状を成し、該鋸歯状先端が、溝の円弧面に圧接されることで固定・保持力を高めるように構成されていること、を特徴とする請求項６又は７に記載のモータファン
の羽根車。
【請求項９】
前記動態バランス修正用の錘は、少なくもその一端が曲げ形成されていること、を特徴とする請求項６乃至８それぞれに記載のモータファンの羽根車。
【請求項１０】
前記動態バランス修正用の錘が、可撓性を付与するため全長に亘って波状を成すように形成されていること、を特徴とする請求項６乃至９それぞれに記載のモータファンの羽根車。
【発明の詳細な説明】
【技術分野】
【０００１】
本発明は、モータファンの羽根車における動態バランス修正手段の、簡易化・自動化および製造コストの低減に関する。
【背景技術】
【０００２】
【特許文献１】特開２０００−３５２３９７号公報
【特許文献２】特開  平１１−２２３１９５号公報
【０００３】
上述公知の文献は軸流ファンの一例を示すが、軸流ファン、遠心ファンを含むモータファンでの、静穏化に関与する羽根車の動態バランス修正手段に関しては、上述公知文献を見るまでも無く、古くから各種の改良が積み重ねられている。
【０００４】
そして、電動機の機械的・電気的な改良により、羽根車の動態バランスの修正精度も微細化し、それが故に修正単位が小さくなることに伴い、錘付加によるバランス修正では、付加手段・質量調整に係る工夫が加えられている。
【発明の開示】
【発明が解決しようとする課題】
【０００５】
上述のような従来技術に成るモータファンの羽根車での、動態バランス修正手段は、概ね作業者の勘による質量設定が前提で、修正完了への熟練度を要する他、動態バランス修正精度の面でも、更なる改良の余地が有った。さらに前記の理由から作業者が手作業にて行う事が前提で、自動化手段を用いた製造コストの低減が求められる状況であった。
【課題を解決するための手段】
【０００６】
本発明は、モータファンの羽根車に係る、回転動作音抑制に寄与する動態バランス修正手段が、羽根を保持する環状部の端面に、軸方向に開の溝が形成され、該溝が、動態バランス修正用錘の嵌着保持部となるように構成され、又、
【０００７】
当該モータファンが多翼羽根車を備える遠心ファンでは、動態バランス修正用錘の嵌着溝が、インペラを連結・保持する環状部の端面に形成され、又は、
【０００８】
当該モータファンがプロペラを備える軸流ファンでは、動態バランス修正用錘の嵌着溝が、プロペラを連結・保持する回転子ハブ環状部の端面に形成され、又、
【０００９】
当該動態バランス修正用の錘が、所定の長さの平角棒状部材より成り、又、
【００１０】
当該動態バランス修正用の錘が、嵌着溝の円弧面への圧接により撓んで保持されるよう、ばね性を有する金属部材で形成され、又は、
【００１１】
当該動態バランス修正用の錘は、少なくもその一端が鋸歯状を成し、該鋸歯状先端が、溝の円弧面に圧接されることで固定・保持力を高めるように構成され、又、
【００１２】
当該動態バランス修正用の錘は、少なくもその一端が曲げ形成され、又は、
【００１３】
当該動態バランス修正用の錘が、全長に亘って波状に形成されている。
【発明の効果】
【００１４】
本発明に成るモータファンの羽根車は、動態バランス修正手段の簡易化・自動化によるコスト低減、錘の保持信頼性向上や動態バランス修正精度の向上を実現している。
【発明を実施するための最良の形態】
【００１５】
以下図面により本発明の実施例を説明する。
【実施例】
【００１６】
図１は、本発明に係る遠心ファン１の一実施例で、羽根車２を形成する翼を保持する一方の側板と共にシュラウド側にも動態バランス修正用の錘を嵌着する溝２−３を設けたものの断面図（ａ）と正面図（ｂ）である。
【００１７】
後述図４に要部拡大図を示すが、翼の保持部材外周端縁に、環状端面２−２に開の周方向溝２−３を設け、この溝２−３内の周方向任意・所定箇所に錘３を嵌着保持することで、動態バランスの修正を行う。
【００１８】
図２は、上述図１の例の錘３の装着工程を説明する図で、冶具４には嵌着用の溝２−３の円弧に対応する開閉可能な溝が形成されており、この成形仮保持溝を嵌着用の溝２−３に対向させて、前記成形仮保持溝に保持された錘３を、前記嵌着用の溝２−３の所定の深さまで錘を進入させ、次に冶具の開閉可能な溝を開くことで翼の溝に装着され、動態バランスの修正を行うことを示している。
バランス修正用の錘の周方向部位の検出等については、従来技術と変りは無いので説明を省略する。
【００１９】
錘付加による動態バランス修正で従来汎用されている、錘付加部位の検出、錘装着用の穴の穿設、所定質量の錘の形成、錘の装着の手段に対し、周方向の連続溝による任意部位へ錘の付加・装着が自在で微細な修正に対応可能であることや、軸方向に開の溝への装着での内外周面との圧接による保持状態での信頼性等、簡便な手段での改善を実現する。
【００２０】
また、本発明でのバランス修正用の錘が、プレス成形等で得られる、多様で安定した質量の部材として準備できるので、冶具４による装着手段とも併せて、安定した作業になり、平行ハンド装置を備えたロボット、自動機等で錘装着作業を容易に行える。
【００２１】
図３は、上述遠心ファンへの適用と共に実施可能な軸流ファンのプロペラへの適用を説明するもので、プロペラ２を保持する回転子ハブの環状部の片側端面に、上述動態バランス修正用の錘を嵌着する溝２−３を形成していることを示している。
【００２２】
図５ａは、上述動態バランス修正用の錘３が、常態では平板状の平角棒状を成す例の説明図で、両端は単純端部形状である例である。
【００２３】
図５ｂは、上述図５に示す錘３を前述装着手段で嵌着保持した状態を示す説明図である。図に見るように、当該錘３は環状部の端面２−２に形成された溝２−３に挿入されると、両端部の外側のエッジが溝の内周面と圧接される外側端圧接部２−３１と、内側中央部での内側圧接部２−３２とで、強固に保持されることになる。
【００２４】
図６ａは、上述平板状の錘での圧接力をさらに高めるべく、常態では嵌着溝の円弧と逆の向きの円弧状に成形された平角棒状とした例の説明図である。
【００２５】
図６ｂに見るように、該錘の形状では、常態での円弧状の撓みを利用して外側端圧接部２−３１と、内側中央部での内側圧接部２−３２との圧接力がさらに強化されることになる。
【００２６】
更に図７ａは、上述平板状の錘での圧接力・保持力をさらに高めるべく、常態で全長に亘って波状に形成され、しかも両端を鋸歯状とした錘の例で、嵌着溝の円弧との圧接箇所の増加をもくろむ例の説明図である。
【００２７】
該例では図７ｂに見るように、該錘の形状では、波状形成を利用して外側端圧接部２−３１も、内側圧接部２−３２も複数箇所となる他、両端での圧接が、鋭角状の当接となるので、圧接力がさらに強化されることになる。
【００２８】
図８は、錘の圧接・保持力を補完するために、常態では単純な平板状のもので、両端を鋸歯状とした別の例を示している。
【００２９】
更に図９は、上記図８の例に、錘の圧接・保持力を強化するために、両端の鋸歯状部分を曲げ形成した別の例を示している。
【００３０】
なお、上述説明では特に触れていないが、溝の壁面との圧接力を確保するために、当該錘は、小さくて、しかも所望の質量を確保し、確実な嵌着・保持力を得るため、ばね性を有する金属部材で形成されることが好ましい。
【産業上の利用可能性】
【００３１】
本発明に成るモータファンの羽根車は、動態バランス修正手段の簡便化、修正精度の向上や、自動化手段を用いた製造コストの低減を実現している。
【図面の簡単な説明】
【００３２】
【図１】本発明に成る遠心ファンでの例の断面図（ａ）と側面図（ｂ）である。
【図２】図１に示す本発明の例の動態バランス修正処理の説明図である。
【図３】本発明に成る別の例とする軸流ファンのプロペラの断面略図である。
【図４】図１、図２に示す遠心ファンでの例の、回転部拡大要図である。
【図５】動態バランス修正用錘の第１の例の単体説明図（ａ）と嵌着状態の説明図（ｂ）である。
【図６】動態バランス修正用錘の第２の例の単体説明図（ａ）と嵌着状態の説明図（ｂ）である。
【図７】動態バランス修正用錘の第３の例の単体説明図（ａ）と嵌着状態の説明図（ｂ）である。
【図８】動態バランス修正用錘の第４の例の単体説明図である。
【図９】動態バランス修正用錘の第５の例の単体説明図である。
【符号の説明】
【００３３】
１        遠心ファン
２        遠心ファンでの羽根車（軸流ファンのプロペラ）
２−１    遠心ファンでの羽根車の翼を保持する側板
２−２    遠心ファンでの羽根車の環状部の端面
２−３    動態バランス修正用錘を嵌着保持する溝
２−３１  錘を嵌着したときの外側端圧接部
２−３２  錘を嵌着したときの内側端圧接部
３        動態バランス修正用の錘
３−１    錘の単純端部
３−２    錘の鋸歯状端部
３−３    錘の曲げ形成された端部
４        動態バランス修正の錘を取り付ける際の冶具
【図１】
2008223645.tif 000003
【図２】
2008223645.tif 000004
【図３】
2008223645.tif 000005
【図４】
2008223645.tif 000006
【図５】
2008223645.tif 000007
【図６】
2008223645.tif 000008
【図７】
2008223645.tif 000009
【図８】
2008223645.tif 000010
【図９】
2008223645.tif 000011